(57)【要約】【課題】簡単な構成で液体経路内に残留する液体を抜くことが容易にでき、雑菌の発生を防ぐことができる給湯装置を提供する。【解決手段】液体を貯めるタンク(１)と、タンク(１)に一端が接続され、他端に吐出口(１２)を有する液体経路(Ｌ１〜Ｌ３,２１)と、液体経路(Ｌ１〜Ｌ３,２１)に配設された双方向ポンプ(Ｐ)と、液体経路(Ｌ１〜Ｌ３,２１)の双方向ポンプ(Ｐ)よりも吐出口(１２)側に配設され、液体経路(Ｌ１〜Ｌ３,２１)内の液体を加熱するヒータ(２２)と、双方向ポンプ(Ｐ)とヒータ(２２)を制御する制御装置(３)とを備える。制御装置(３)は、双方向ポンプ(Ｐ)を制御して、タンク(１)側からヒータ(２２)側に向かって液体を送り出す第１動作モードと、ヒータ(２２)側からタンク(１)側に向かって液体を送り出す第２動作モードとを切り換える。【選択図】図２
2016023858.tif 000002
【特許請求の範囲】
【請求項１】
液体を貯めるタンクと、
上記タンクに一端が接続され、他端に吐出口を有する液体経路と、
上記液体経路に配設された双方向ポンプと、
上記液体経路の上記双方向ポンプよりも上記吐出口側に配設され、上記液体経路内の液体を加熱するヒータと、
上記双方向ポンプと上記ヒータを制御する制御装置と
を備え、
上記制御装置は、上記双方向ポンプを制御して、上記タンク側から上記ヒータ側に向かって液体を送り出す第１動作モードと、上記ヒータ側から上記タンク側に向かって液体を送り出す第２動作モードとを切り換えることを特徴とする給湯装置。
【請求項２】
請求項１に記載の給湯装置において、
上記制御装置は、上記双方向ポンプを上記第２動作モードで動作させて、上記ヒータにより加熱された上記液体経路内の液体または空気を上記ヒータ側から上記タンク側に向かって戻すことを特徴とする給湯装置。
【請求項３】
請求項１または２に記載の給湯装置において、
上記制御装置は、上記双方向ポンプを上記第２動作モードで動作させて、上記液体経路のうちの少なくとも上記ヒータが配設された領域内の液体を抜くように、上記液体を上記タンク側に戻す液体抜き運転を行うことを特徴とする給湯装置。
【請求項４】
請求項３に記載の給湯装置において、
上記制御装置は、上記ヒータにより加熱した液体を供給する運転が終了してから予め設定された時間が経過した後に、上記液体抜き運転を行うことを特徴とする給湯装置。
【請求項５】
請求項１から４までのいずれか１つに記載の給湯装置において、
上記ヒータにより加熱された液体の温度を検出する液体温度センサを備え、
上記制御装置は、目標液体温度を設定するための目標液体温度設定手段を有し、
上記目標液体温度設定手段により、上記液体温度センサにより検出された上記液体の現在温度よりも低い上記目標液体温度が設定されたとき、上記制御装置により、上記双方向ポンプを上記第１動作モードと上記第２動作モードで交互に動作させることによって、上記液体温度センサにより検出された上記液体の温度が、上記目標液体温度設定手段により設定された上記目標液体温度になるようにすることを特徴とする給湯装置。
【発明の詳細な説明】
【技術分野】
【０００１】
この発明は、給湯装置に関する。
【背景技術】
【０００２】
従来、給湯装置としては、水を貯える貯水タンクと、貯水タンクから吐出口にパイプを介して水を送るポンプと、ポンプから送られた水を加熱するヒータとを備えたものがある(例えば、特開２０１２−０６１１２７号公報(特許文献１)参照)。上記給湯装置では、貯水タンク内の水をポンプによりパイプを介して吐出口に送り出すとき、ヒータによりパイプ内の水を加熱して、所望の温度のお湯を吐出口から供給する。
【先行技術文献】
【特許文献】
【０００３】
【特許文献１】特開２０１２−０６１１２７号公報
【発明の概要】
【発明が解決しようとする課題】
【０００４】
ところで、上記給湯装置では、給湯終了後の状態でパイプ内に水が残留しているため、長期間使用しないときはパイプ内の水抜きを行う必要があるが、貯水タンクを空にするかまたは外して、ポンプによりパイプ内の水を吐出口から送り出す操作や、吐出口からの水を受ける容器を取り付けるなどの煩わしい作業があるため、水抜きがあまり行われず忘れられてしまうという問題がある。この水抜きを忘れて長期間使用しない場合、パイプ内に雑菌が発生したり付着物(スケールなど)が堆積したりするため、衛生的でない。
【０００５】
そこで、この発明の課題は、簡単な構成で液体経路内に残留する液体を抜くことが容易にできる給湯装置を提供することにある。
【課題を解決するための手段】
【０００６】
上記課題を解決するため、この発明の給湯装置は、
液体を貯めるタンクと、
上記タンクに一端が接続され、他端に吐出口を有する液体経路と、
上記液体経路に配設された双方向ポンプと、
上記液体経路の上記双方向ポンプよりも上記吐出口側に配設され、上記液体経路内の液体を加熱するヒータと、
上記双方向ポンプと上記ヒータを制御する制御装置と
を備え、
上記制御装置は、上記双方向ポンプを制御して、上記タンク側から上記ヒータ側に向かって液体を送り出す第１動作モードと、上記ヒータ側から上記タンク側に向かって液体を送り出す第２動作モードとを切り換えることを特徴とする。
【０００７】
また、一実施形態の給湯装置では、
上記制御装置は、上記双方向ポンプを上記第２動作モードで動作させて、上記ヒータにより加熱された上記液体経路内の液体または空気を上記ヒータ側から上記タンク側に向かって戻す。
【０００８】
また、一実施形態の給湯装置では、
上記制御装置は、上記双方向ポンプを上記第２動作モードで動作させて、上記液体経路のうちの少なくとも上記ヒータが配設された領域内の液体を抜くように、上記液体を上記タンク側に戻す液体抜き運転を行う。
【０００９】
また、一実施形態の給湯装置では、
上記制御装置は、上記ヒータにより加熱した液体を供給する運転が終了してから予め設定された時間が経過した後に、上記液体抜き運転を行う。
【００１０】
また、一実施形態の給湯装置では、
上記ヒータにより加熱された液体の温度を検出する液体温度センサを備え、
上記制御装置は、目標液体温度を設定する目標液体温度設定手段を有し、
上記目標液体温度設定手段により、上記液体温度センサにより検出された上記液体の現在温度よりも低い上記目標液体温度が設定されたとき、上記制御装置により、上記双方向ポンプを上記第１動作モードと上記第２動作モードで交互に動作させることによって、上記液体温度センサにより検出された上記液体の温度が、上記目標液体温度設定手段により設定された上記目標液体温度になるようにする。
【００１１】
また、一実施形態の給湯装置では、
上記制御装置は、上記液体経路内の液体の有無が不定な状態であるとき、上記ヒータにより加熱した液体を供給する運転の開始前に上記第２動作モードで上記双方向ポンプを動作させて、上記液体経路内の液体の有無を判定する判定手段を有する。
【発明の効果】
【００１２】
以上より明らかなように、この発明によれば、制御装置により双方向ポンプを制御して、タンク側からヒータ側に向かって液体を送り出す第１動作モードと、ヒータ側からタンク側に向かって液体を送り出す第２動作モードとを切り換える機能を有することによって、簡単な構成で液体経路内に残留する液体を抜くことが容易にでき、雑菌の発生を防ぐことができる給湯装置を実現することができる。
【図面の簡単な説明】
【００１３】
【図１】図１はこの発明の第１実施形態の給湯装置の外観斜視図である。
【図２】図２は上記給湯装置の構成を示す模式図である。
【図３】図３は上記給湯装置の操作部を示す図である。
【発明を実施するための形態】
【００１４】
以下、この発明の給湯装置を図示の実施の形態により詳細に説明する。
【００１５】
〔第１実施形態〕
図１はこの発明の第１実施形態の給湯装置の外観斜視図を示している。
【００１６】
この第１実施形態の給湯装置は、図１に示すように、給湯装置本体１０の側方に円筒形状の貯水タンク１を着脱可能に取り付けている。この給湯装置本体１０の上面に操作部４を設けている。また、給湯装置本体１０の上側の貯水タンク１と反対の側から外側に向かって延在する迫り出し部１１を設けている。その迫り出し部１１の下側に、下方に向けて開口する吐出口の一例としての給湯口１２を設けている。また、給湯装置本体１０の貯水タンク１と反対の側かつ下側に外側に向かって延在する置き台１３を設けている。この置き台１３上にコップ９０が載置され、コップ９０の直上に給湯口１２が位置するようになっている。
【００１７】
なお、この第１実施形態の給湯装置では、液体を貯めるタンクの一例として水を貯める貯水タンク１を用いたが、この発明の給湯装置におけるタンクは、水に限らず、ジュースやお茶などの他の液体を貯めるタンクでもよい。
【００１８】
また、図２は上記給湯装置の構成図を示しており、この給湯装置は、図２に示すように、貯水タンク１に一端が接続された第１配管Ｌ１と、第１配管Ｌ１の他端に第１入出力ポートが接続された双方向ポンプＰと、第１配管Ｌ１に配設されたフローセンサＦＬと、双方向ポンプＰの第２入出力ポートに一端が接続された第２配管Ｌ２と、第２配管Ｌ２の他端が入口側に接続された加熱ユニット２と、加熱ユニット２の出口側に一端が接続され、他端に給湯口１２(吐出口)を有する第３配管Ｌ３と、双方向ポンプＰと加熱ユニット２などを制御する制御装置３と、操作ボタン(図示せず)などを有する操作部４と、加熱ユニット２に接続された交流電源２０からの交流電圧をオンオフするスイッチ部５と、加熱ユニット２に取り付けられた温度ヒューズ６を備えている。ここで、双方向ポンプＰには、一例としてダイヤフラムポンプを用いている。
【００１９】
また、第１配管Ｌ１のフローセンサＦＬよりも貯水タンク１側に、第１配管Ｌ１内の水の温度を検出する水温センサＴｈ１を配設している。また、加熱ユニット２の出口側の温度を検出するヒータ温度センサＴｈ２を配設している。このヒータ温度センサＴｈ２は、液体温度センサの一例である。ヒータ温度センサＴｈ２により検出された加熱ユニット２の出口側の温度は、加熱ユニット２の出口から流出する給湯水の温度に相当する。
【００２０】
なお、この第１実施形態では、液体温度センサとして加熱ユニット２の出口側の温度を検出するヒータ温度センサＴｈ２を用いたが、例えば第３配管Ｌ３内の水の温度を検出する水温センサなどの他の液体センサを用いてもよい。
【００２１】
また、加熱ユニット２は、貯水タンク１からの水が通過するパイプ２１およびヒータ２２が鋳込まれた金属(アルミニウム合金など)製のブロック２３を有する。この金属製のブロック２３に側面に温度ヒューズ６が取り付けられ、金属製のブロック２３が異常温度になったときに温度ヒューズ６によりヒータ２２への電源を遮断する。
【００２２】
上記第１配管Ｌ１と第２配管Ｌ２と第３配管Ｌ３およびパイプ２１で液体経路を構成している。
【００２３】
上記制御装置３は、マイクロコンピュータと入出力回路などからなり、操作部４からの信号および水温センサＴｈ１,ヒータ温度センサＴｈ２からの信号に基づいて、双方向ポンプＰと加熱ユニット２などを制御する。
【００２４】
また、制御装置３は、双方向ポンプＰを制御するポンプ制御手段３aと、加熱ユニット２のヒータ２２のオンオフを制御するヒータ制御手段３bと、目標給湯温度を設定する目標液体温度設定手段の一例としての目標給湯温度設定手段３cと、液体経路(Ｌ１〜Ｌ３,２１)内の水の有無を判定する判定手段３dとを有する。
【００２５】
上記ポンプ制御手段３aは、双方向ポンプＰを制御して、貯水タンク１側から加熱ユニット２側に向かって水を送り出す第１動作モードと、加熱ユニット２側から貯水タンク１側に向かって水を送り出す第２動作モードとを切り換える。
【００２６】
上記加熱ユニット２では、らせん状に曲がったパイプ２１の隣り合う２つの段の間に、パイプ２１と同じようにらせん状に曲がったヒータ２２の各段が配置され、パイプ２１のらせん軸とヒータ２２のらせん軸とは略一致している。ここで、「段」とは、らせんにおける１回転に相当する部分を意味する。このような構成の加熱ユニット２は、小型で高効率である。なお、図２では、パイプ２１のみをらせん状に示している。
【００２７】
また、図３は上記給湯装置の操作部４を示している。
【００２８】
図３に示すように、操作部４の図中上側に「ロック／解除」押しボタン４１と「電源」押しボタン４２を図中左右方向に所定の間隔をあけて設けている。その「ロック／解除」押しボタン４１と「電源」押しボタン４２の下側に、「モード」押しボタン４３と、「温度」押しボタン４４と、「湯量」押しボタン４５と、「給湯／停止」押しボタン４６を図中上下方向に所定の間隔をあけて設けている。
【００２９】
また、操作部４の図中上側、かつ、「ロック／解除」押しボタン４１の上側にロック時に点灯するＬＥＤ(Light Emitting Diode：発光ダイオード)５１を設けている。また、操作部４の図中上側、かつ、「電源」押しボタン４２の上側に加熱中に点灯するＬＥＤ５２を設けている。
【００３０】
この給湯装置では、「電源」押しボタン４２の操作により電源が投入されると、ユーザーによる操作が所定時間ない場合は、安全のために自動的にロック状態となって、ＬＥＤ５１が点灯し、操作部４の「電源」押しボタン４２以外の押しボタンの操作が禁止される。その後、「ロック／解除」押しボタン４１を数秒の間、押し続けることによって、ＬＥＤ５１が消灯してロック状態が解除される。
【００３１】
また、操作部４の「ロック解除」押しボタン４１,「電源」押しボタン４２と「モード」押しボタン４３との間に、「給湯」、「ドリップ」、「水抜き」、「クリーニング」モードのうち、「モード」押しボタン４３により選択されたいずれか１つのモードに対応するＬＥＤが点灯するＬＥＤ群５３を設けている。この「モード」押しボタン４３を押す度に、「給湯」→「ドリップ」→「水抜き」→「クリーニング」の順にモードが選択され、さらに「クリーニング」モードから「モード」押しボタン４３を押すと、再び「給湯」モードに戻る。
【００３２】
また、操作部４の「モード」押しボタン４３と「温度」押しボタン４４との間に、「９８」℃、「９０」℃、「８０」℃、「６０」℃の給湯温度のうち、「温度」押しボタン４４により選択されたいずれか１つの給湯温度に対応するＬＥＤが点灯するＬＥＤ群５４を設けている。この「温度」押しボタン４４を押す度に、「９８」℃→「９０」℃→「８０」℃→「６０」℃の順に給湯温度が選択され、さらに「６０」℃から「モード」押しボタン４３を押すと、再び「９８」℃に戻る。
【００３３】
さらに、操作部４の「温度」押しボタン４４と「湯量」押しボタン４５との間に、「３００」ｍｌ、「２００」ｍｌ、「１４０」ｍｌ、「連続」のうち、「湯量」押しボタン４５により選択されたいずれか１つの湯量に対応するＬＥＤが点灯するＬＥＤ群５５を設けている。この「湯量」押しボタン４５を押す度に、「３００」ｍｌ→「２００」ｍｌ→「１４０」ｍｌ→「連続」の順に湯量が選択され、さらに「連続」から「モード」押しボタン４３を押すと、再び「３００」ｍｌに戻る。
【００３４】
上記構成の給湯装置において、水を貯めた貯水タンク１を給湯装置本体１０に装着し、ユーザーは、操作部４の「温度」押しボタン４４を操作して、所望の給湯温度(給湯目標温度)を設定する。ここで、給湯温度(給湯目標温度)として、予め設定された複数の選択温度(この実施形態では９８℃,９０℃,８０℃,６０℃)のうちの１つが選択される。
【００３５】
そして、「湯量」押しボタン４５を操作して「連続」モードを選択する。なお、すでに「連続」モードの場合は、「湯量」押しボタン４５の操作は不要である。
【００３６】
次に、置き台１３上にコップなどを載置した後、「連続」モードが選択されている状態で操作部４の「給湯／停止」押しボタン４６を押下している間、ヒータ２２をオンすると共に双方向ポンプＰを第１動作モードで動作させて、貯水タンク１内の水を、第１配管Ｌ１,双方向ポンプＰ,第２配管Ｌ２を介して加熱ユニット２に供給し、加熱ユニット２により給湯温度(給湯目標温度)に加熱された高温水が給湯口１２(吐出口)から供給される。
【００３７】
ここで、制御装置３は、水温センサＴｈ１により検出された第１配管Ｌ１内の水の温度と、フローセンサＦＬにより検出された流量と、ヒータ温度センサＴｈ２により検出された加熱ユニット２の出口側の温度に基づいて、加熱ユニット２のヒータ２２のオンオフと双方向ポンプＰの動作を制御する。詳しくは、加熱ユニット２に供給される水の流量を制御することにより、ヒータ温度センサＴｈ２により検出された加熱ユニット２の出口側の温度が、設定された給湯温度(目標給湯温度)になるようにする。このとき、加熱ユニット２のヒータ２２の立ち上げ時は、熱量が十分でないので、水温センサＴｈ１により検出された入水温度に応じて加熱ユニット２に供給される水量を少なくすることで、給湯水の温度上昇が早くなり、目標給湯温度になるまでの立ち上げ時間が短くなる。
【００３８】
なお、この第１実施形態では、加熱ユニット２に供給される水の流量制御により、給湯温度を制御したが、ヒータ２２のオンオフ制御により、給湯温度を制御してもよい。
【００３９】
上記「連続」モードでは、「給湯／停止」押しボタン４６を押下している間、高温水が給湯口１２(吐出口)から供給されるが、「湯量」押しボタン４５により「３００」ｍｌ,「２００」ｍｌ,「１４０」ｍｌのいずれかが選択されている場合は、「給湯／停止」押しボタン４６を１回押下するだけで、各湯量分の給湯が可能である。
【００４０】
上記構成の給湯装置によれば、制御装置３により双方向ポンプＰを第１動作モードで動作させて、貯水タンク１側から加熱ユニット２側に向かって水を送り出すことにより、貯水タンク１内の水がヒータ２２で加熱されて、給湯口１２(吐出口)から湯が供給される。このヒータ２２により加熱した水を供給する運転が終了した後、制御装置３により双方向ポンプＰを第２動作モードで動作させて、加熱ユニット２側から貯水タンク１側に向かって湯を逆流させることによって、液体経路(Ｌ１〜Ｌ３,２１)内に残留する湯を抜くことが容易にでき、雑菌の発生を防ぐことができる。このとき、加熱ユニット２は動作させずに双方向ポンプＰを動作させる。
【００４１】
また、双方向ポンプＰを第２動作モードで動作させて、液体経路(Ｌ１〜Ｌ３,２１)内に残留する湯を貯水タンク１側に逆流させる方法以外に、次の追い出しモードによる水抜き方法もある。
【００４２】
貯水タンク１を空にした状態(または貯水タンク１を給湯装置本体１０から外した状態)で、置き台１３上に容器を載置した後、操作部４の「追い出し」ボタンを押すことにより追い出しモードが選択されて、制御装置３により双方向ポンプＰが第１動作モードで動作し、液体経路(Ｌ１〜Ｌ３,２１)内に残留する湯水を給湯口１２(吐出口)から排水する。これにより、液体経路(Ｌ１〜Ｌ３,２１)内に残留する湯水を抜くことができ、雑菌の発生を防ぐことができる。
【００４３】
なお、上記第１実施形態では、フローセンサＦＬにより加熱ユニット２に供給される水の流量を検出したが、双方向ポンプＰの動作に基づいてポンプ吐出量すなわち加熱ユニット２に供給される水の流量を推定してもよい。例えば、ダイヤフラムポンプのピストンの往復動の回数に基づいてポンプ吐出量を求めることが可能である。
【００４４】
〔第２実施形態〕
次に、この発明の第２実施形態の給湯装置について説明する。この第２実施形態の給湯装置は、制御装置３の動作を除いて第１実施形態の給湯装置と同一の構成をしており、図１,図２を援用する。
【００４５】
上記構成の給湯装置よれば、制御装置３により双方向ポンプＰを第２動作モードで動作させて、液体経路(Ｌ１〜Ｌ３,２１)内に残留する湯を抜くとき、パイプ２１内の湯をヒータ２２により加熱して加熱ユニット２側から貯水タンク１側に向かって戻す。これにより、パイプ２１内の水を貯水タンク１側に戻しながら液体経路(Ｌ１,Ｌ２,２２)内を高温水で殺菌することが可能になる。
【００４６】
なお、パイプ２１内の水を貯水タンク１側に戻す代わりに、ヒータ２２により加熱されたパイプ２１内の空気を加熱ユニット２側から貯水タンク１側に向かって戻してもよい。これにより、パイプ２１内を高温の空気で殺菌と乾燥を同時に行うことが可能になる。
【００４７】
上記第２実施形態の給湯装置は、第１実施形態の給湯装置と同様の効果を有する。
【００４８】
ここで、上記制御装置３により双方向ポンプＰを第２動作モードで動作させて、少なくともヒータ２２が配設された領域であるパイプ２１内の湯水を貯水タンク１側に戻す水抜き運転(液体抜き運転)を行うことによって、特に、液体経路(Ｌ１〜Ｌ３,２１)のうち、加熱ユニット２のパイプ２１内の水を戻すことで、雑菌が発生しやすく付着物(スケールなど)が堆積しやすいパイプ２１内を効果的に殺菌,乾燥ができる。
【００４９】
また、上記ヒータ２２により加熱した湯を供給する運転が終了してから予め設定された時間が経過した後に、制御装置３により上記水抜き運転を行うことによって、湯を供給する運転が終了してもすぐに次の湯を供給する運転が開始する場合もあるので、給湯運転終了から予め設定された時間内は、水抜き運転を行わないようにすることで、利便性を向上できる。
【００５０】
〔第３実施形態〕
次に、この発明の第３実施形態の給湯装置について説明する。この第３実施形態の給湯装置は、制御装置３の動作を除いて第１実施形態の給湯装置と同一の構成をしており、図１,図２を援用する。
【００５１】
上記構成の給湯装置よれば、目標給湯温度設定手段３c(目標液体温度設定手段)により、ヒータ温度センサＴｈ２により検出された加熱ユニット２の出口側の現在温度(給湯温度に相当)よりも低い目標給湯温度(目標液体温度)に設定が変更されたとき、制御装置３により、双方向ポンプＰを第１動作モードと第２動作モードで交互に動作させて、ヒータ温度センサＴｈ２により検出された加熱ユニット２の出口側の温度(給湯温度に相当)が、目標給湯温度設定手段３cにより設定変更された目標給湯温度になるまで低下させる。
【００５２】
ここで、双方向ポンプＰを第１動作モードと第２動作モードで交互に動作させることにより、液体経路(Ｌ１〜Ｌ３,２１)内の高温水が双方向ポンプＰの前後に移動することで、高温水の一部は貯水タンク１内に戻って全体として液体経路(Ｌ１〜Ｌ３,２１)内の高温水の温度が徐々に下がり、加熱ユニット２の温度も下がる。そこで、ヒータ温度センサＴｈ２により検出された加熱ユニット２の出口側の温度が、設定変更された低い目標給湯温度になるまで双方向ポンプＰを第１動作モードと第２動作モードで交互に動作させた後、設定変更後の低い目標給湯温度での給湯を可能とする。
【００５３】
これにより、ある目標給湯温度で湯を供給する運転をしていて、次に現在の目標給湯温度よりも低い目標給湯温度が設定されて湯を供給する運転を開始したときに、高い目標給湯温度の湯が最初に吐出口から供給されることがなく、変更後の低い目標給湯温度ですぐに給湯することができる。
【００５４】
上記第３実施形態の給湯装置は、第１実施形態の給湯装置と同様の効果を有する。
【００５５】
〔第４実施形態〕
次に、この発明の第４実施形態の給湯装置について説明する。この第４実施形態の給湯装置は、制御装置３の動作を除いて第１実施形態の給湯装置と同一の構成をしており、図１,図２を援用する。
【００５６】
上記構成の給湯装置おいて、湯水を供給する運転を行った直後であれば、液体経路(Ｌ１〜Ｌ３,２１)内に水があり、水抜き運転を行った直後であれば、液体経路(Ｌ１〜Ｌ３,２１)内に水がないことは、制御装置３で認識することが可能である。しかしながら、水抜き運転を行う前(または水抜き運転中)に電源コードが抜かれたりした場合は、液体経路(Ｌ１〜Ｌ３,２１)内の水の有無が不定な状態となる。
【００５７】
このような液体経路(Ｌ１〜Ｌ３,２１)内の水の有無が不定な状態であるとき、制御装置３は、ヒータ２２により加熱した水を供給する運転の開始前に第２動作モードで双方向ポンプＰを動作させて、液体経路(Ｌ１〜Ｌ３,２１)内の水の有無を判定手段３dにより判定する。
【００５８】
ここで、判定手段３dは、第２動作モードで双方向ポンプＰを動作させたとき、フローセンサＦＬにより水流の有無に基づいて水の有無を判定する。または、判定手段３dは、加熱ユニット２のヒータ２２をオンして、ヒータ温度センサＴｈ２により検出された加熱ユニット２の出口側の温度の変化に基づいてパイプ２１内の水の有無を判定してもよい。
【００５９】
また、双方向ポンプＰを動作させたときに流れる負荷電流が水の有無によって異なることを利用して水の有無を判定してもよいし、例えば振動センサなどを用いるなどして、水の有無によって異なるパラメータを利用することで水の有無を判定すればよい。
【００６０】
これにより、液体経路(Ｌ１〜Ｌ３,２１)内に水があることを判定手段３dにより判定した場合は、ヒータ２２により加熱した水を供給する運転前に、まず液体経路(Ｌ１〜Ｌ３,２１)内の水を抜く。これにより、液体経路(Ｌ１〜Ｌ３,２１)内の水の有無が不定な状態で所望の温度の湯を供給するときに、液体経路(Ｌ１〜Ｌ３,２１)内に残留していた水が先に給湯口１２(吐出口)から供給されるということがない。
【００６１】
また、制御装置３によって駆動される報知部を設け、液体経路(Ｌ１〜Ｌ３,２１)内に水があることを判定手段３dにより判定したときに、水があることを報知すると共に、第１動作モードを所定時間の間行ってもよい。これによって、液体経路(Ｌ１〜Ｌ３,２１)内に残っていた水を本体外部へ排出することができ、供給する所望の温度の湯に用いる水を衛生的なものにすることができる。
【００６２】
その際、双方向ポンプＰを第１動作モードで動作させる所定時間は、用いる双方向ポンプＰの性能で液体経路(Ｌ１〜Ｌ３,２１)内に残っていた水を十分に排出することができる時間であることが望ましい。
【００６３】
また、水があることを報知してから、ユーザーが排出される水を受けるための容器を準備することができるように、ユーザーによる操作部４への入力(排出操作)があってから双方向ポンプＰを第１動作モードで動作させて、第１動作モードの動作終了を報知した後に、ユーザーが所望の温度の湯を受けるためのコップ９０を置き台１３に載置すべく、ユーザーによる操作部への入力を受け付けるようにしてもよい。
【００６４】
上記第４実施形態の給湯装置は、第１実施形態の給湯装置と同様の効果を有する。
【００６５】
上記第１〜第４実施形態では、双方向ポンプＰにダイヤフラムポンプを用いた給湯装置について説明したが、双方向ポンプはこれに限らず、例えば駆動方向を切り換えることにより液体を双方向に送り出すことが可能なＤＣポンプなどを用いてもよい。なお、双方向ポンプは、例えばプランジャポンプを互いに逆方向に並列に接続したものに逆止弁を組み合わせて構成したものでもよいが、ダイヤフラムポンプのように１つの双方向ポンプで構成する方が、構成を簡略化でき、信頼性も向上できるので好ましい。
【００６６】
また、上記第１〜第４実施形態では、らせん状に曲がったパイプ２１の隣り合う２つの段の間に、パイプ２１と同じようにらせん状に曲がったヒータ２２の各段が配置された加熱ユニット２を備えた給湯装置について説明したが、液体経路内の液体をヒータにより加熱する構成は加熱ユニット２のような構成に限らない。
【００６７】
また、上記第１〜第４実施形態では、液体としての水を加熱して供給する給湯装置について説明したが、この発明の給湯装置は、ジュースやお茶などの他の液体を温めて供給するものでもよい。
【００６８】
この発明の具体的な実施の形態について説明したが、この発明は上記第１〜第４実施形態に限定されるものではなく、この発明の範囲内で種々変更して実施することができる。
【００６９】
この発明および実施形態をまとめると、次のようになる。
【００７０】
この発明の給湯装置は、
液体を貯めるタンク１と、
上記タンク１に一端が接続され、他端に吐出口１２を有する液体経路(Ｌ１〜Ｌ３,２１)と、
上記液体経路(Ｌ１〜Ｌ３,２１)に配設された双方向ポンプＰと、
上記液体経路(Ｌ１〜Ｌ３,２１)の上記双方向ポンプＰよりも上記吐出口１２側に配設され、上記液体経路(Ｌ１〜Ｌ３,２１)内の液体を加熱するヒータ２２と、
上記双方向ポンプＰと上記ヒータ２２を制御する制御装置３と
を備え、
上記制御装置３は、上記双方向ポンプＰを制御して、上記タンク１側から上記ヒータ２２側に向かって液体を送り出す第１動作モードと、上記ヒータ２２側から上記タンク１側に向かって液体を送り出す第２動作モードとを切り換えることを特徴とする。
【００７１】
上記構成によれば、制御装置３により双方向ポンプＰを第１動作モードで動作させて、タンク１側からヒータ２２側に向かって液体を送り出すことにより、タンク１内の液体がヒータ２２で加熱されて、吐出口１２から加熱された液体が供給される。このヒータ２２により加熱した液体を供給する運転が終了した後、例えば、制御装置３により双方向ポンプＰを第２動作モードで動作させて、ヒータ２２側からタンク１側に向かって液体を逆流させることによって、液体経路(Ｌ１〜Ｌ３,２１)内に残留する液体を抜くことが容易にできる。
【００７２】
また、一実施形態の給湯装置では、
上記制御装置３は、上記双方向ポンプＰを上記第２動作モードで動作させて、上記ヒータ２２により加熱された上記液体経路(Ｌ１〜Ｌ３,２１)内の液体または空気を上記ヒータ２２側から上記タンク１側に向かって戻す。
【００７３】
上記実施形態によれば、制御装置３により双方向ポンプＰを第２動作モードで動作させて、液体経路(Ｌ１〜Ｌ３,２１)内に残留する液体を抜くとき、ヒータ２２により加熱された液体経路(Ｌ１〜Ｌ３,２１)内の液体をヒータ２２側からタンク１側に向かって戻す。これにより、液体経路(Ｌ１〜Ｌ３,２１)内の液体をタンク１側に戻しながら液体経路(Ｌ１〜Ｌ３,２１)内を高温の液体で殺菌することが可能になる。あるいは、ヒータ２２により加熱された液体経路(Ｌ１〜Ｌ３,２１)内の空気をヒータ２２側からタンク１側に向かって戻すことにより、液体経路(Ｌ１,Ｌ２,２１)内を高温の空気で殺菌と乾燥を同時に行うことが可能になる。
【００７４】
また、一実施形態の給湯装置では、
上記制御装置３は、上記双方向ポンプＰを上記第２動作モードで動作させて、上記液体経路(Ｌ１〜Ｌ３,２１)のうちの少なくとも上記ヒータ２２が配設された領域(２１)内の液体を抜くように、上記液体を上記タンク１側に戻す液体抜き運転を行う。
【００７５】
上記実施形態によれば、制御装置３により双方向ポンプＰを第２動作モードで動作させて、少なくともヒータ２２が配設された領域の液体経路(２１)内の液体をタンク１側に戻す液体抜き運転を行うことによって、特に、液体経路(Ｌ１〜Ｌ３,２１)のうち、液体が残っていると雑菌が発生したり付着物が堆積しやすいヒータ２２が配設された領域(２１)内の液体を戻すことで、雑菌の発生を効果的に防ぐことができる。
【００７６】
また、一実施形態の給湯装置では、
上記制御装置３は、上記ヒータ２２により加熱した液体を供給する運転が終了してから予め設定された時間が経過した後に、上記液体抜き運転を行う。
【００７７】
上記実施形態によれば、ヒータ２２により加熱した液体を供給する運転が終了してから予め設定された時間が経過した後に、制御装置３により液体抜き運転を行うことによって、液体を供給する運転が終了しても、液体抜き運転に妨げられることなくすぐに次の液体を供給する運転が開始することができる。
【００７８】
また、一実施形態の給湯装置では、
上記ヒータ２２により加熱された液体の温度を検出する液体温度センサＴｈ２を備え、
上記制御装置は、目標液体温度を設定するための目標液体温度設定手段３cを有し、
上記目標液体温度設定手段３cにより、上記液体温度センサＴｈ２により検出された上記液体の現在温度よりも低い上記目標液体温度が設定されたとき、上記制御装置３により、上記双方向ポンプＰを上記第１動作モードと上記第２動作モードで交互に動作させることによって、上記液体温度センサＴｈ２により検出された上記液体の温度が、上記目標液体温度設定手段３cにより設定された上記目標液体温度になるようにする。
【００７９】
上記実施形態によれば、目標液体温度設定手段３cにより、液体温度センサＴｈ２により検出された液体(ヒータ２２により加熱された液体)の現在温度よりも低い目標液体温度が設定されたとき、制御装置３により、双方向ポンプＰを第１動作モードと第２動作モードで交互に動作させて、液体温度センサＴｈ２により検出された液体の温度が、目標液体温度設定手段３cにより設定された目標液体温度になるようにする。これにより、ある目標液体温度で液体を供給する運転をしていて、次に現在の目標液体温度よりも低い目標液体温度に設定変更されて液体を供給する運転を開始したときに、高い目標液体温度の液体が最初に吐出口１２から供給されることがなく、変更後の低い目標液体温度で液体をすぐに供給することができる。
【００８０】
また、一実施形態の給湯装置では、
上記制御装置３は、上記液体経路(Ｌ１〜Ｌ３,２１)内の液体の有無が不定な状態であるとき、上記ヒータ２２により加熱した液体を供給する運転の開始前に上記第２動作モードで上記双方向ポンプＰを動作させて、上記液体経路(Ｌ１〜Ｌ３,２１)内の液体の有無を判定する判定手段３dを有する。
【００８１】
上記実施形態によれば、例えば、液体を供給する運転を行った直後であれば、液体経路(Ｌ１〜Ｌ３,２１)内に液体があり、液体抜き運転を行った直後であれば、液体経路(Ｌ１〜Ｌ３,２１)内に液体がないことは、制御装置３で認識することが可能であるが、電源コードが抜かれたりした場合は、液体経路(Ｌ１〜Ｌ３,２１)内の液体の有無が不定な状態となる。このような液体経路(Ｌ１〜Ｌ３,２１)内の液体の有無が不定な状態であるとき、制御装置３は、ヒータ２２により加熱した液体を供給する運転の開始前に第２動作モードで双方向ポンプＰを動作させて、液体経路(Ｌ１〜Ｌ３,２１)内の液体の有無を判定手段３dにより判定する。これにより、液体経路(Ｌ１〜Ｌ３,２１)内に液体があることを判定手段３dにより判定した場合は、ヒータ２２により加熱した液体を供給する運転前に、まず液体経路(Ｌ１〜Ｌ３,２１)内の液体を抜く。そうすることで、次に所望の温度の液体を供給するときに、液体経路(Ｌ１〜Ｌ３,２１)内に残留していた液体が先に吐出口１２から供給されるということがない。
【符号の説明】
【００８２】
１…貯水タンク
２…加熱ユニット
３…制御装置
３a…ポンプ制御手段
３b…ヒータ制御手段
３c…目標給湯温度設定手段
３d…判定手段
４…操作部
５…スイッチ部
６…温度ヒューズ
１１…迫り出し部
１２…給湯口
１３…置き台
２１…パイプ
２２…ヒータ
２３…金属製のブロック
ＦＬ…フローセンサ
Ｌ１…第１配管
Ｌ２…第２配管
Ｌ３…第３配管
Ｐ…双方向ポンプ
Ｔｈ１…温度センサ
Ｔｈ２…ヒータ温度センサ
【図１】
2016023858.tif 000003
【図２】
2016023858.tif 000004
【図３】
2016023858.tif 000005